(57)【要約】【課題】無線基地局装置及びその保守方法に関し、場所を選ばずに通信回線網にアクセス可能なポイントから、保守監視・制御対象の無線基地局装置にアクセスし、該無線基地局装置の保守監視・制御を可能にする。【解決手段】自無線基地局装置１に割り当てられた加入者識別情報を記憶する手段９、その加入者識別情報を元に、網側からの呼処理信号が自無線基地局装置１に対するものであるか否かを判断する手段７、自無線基地局装置向けの呼処理信号に対する呼処理手段８、自無線基地局装置と任意の通信端末との間のリンク確立中に、自無線基地局装置の保守監視・制御情報を送受信する手段６、自無線基地局装置の運用状態が或る特定の状態へ変化したことを契機に、任意の電話番号の通信端末へ発呼する手段を、無線基地局装置１内に備え、通信網１０を介してリンク確立された通信端末１１により、無線基地局装置１の保守監視・制御を行う。【選択図】      図１
2004248036.tif 000002
【特許請求の範囲】
【請求項１】
移動通信システムにおける移動局の加入者番号と同等の加入者識別情報であって、自無線基地局装置に割り当てられた加入者識別情報を記憶する加入者識別情報記憶手段と、
該加入者識別情報を元に、通信網を介して任意の通信端末から自無線基地局装置へ着信する着信呼を識別する手段と、
該自無線基地局装置への着信呼に対して、移動局に対する呼処理シーケンスと同手順の着信呼処理を行い、前記任意の通信端末と自無線基地局装置と間に通信回線を確立する手段と、
前記通信回線を介して、前記通信端末から又は前記通信端末へ、保守又は監視のための情報を送信又は受信する手段と、
を備えたことを特徴とする無線基地局装置。
【請求項２】
移動通信システムにおける移動局の加入者番号と同等の加入者識別情報であって、自無線基地局装置に割り当てられた加入者識別情報を記憶する加入者識別情報記憶手段と、
該加入者識別情報を元に、通信網を介して特定の通信端末へ自無線基地局装置から発信する発信呼を識別する手段と、
該自無線基地局装置からの発信呼に対して、移動局に対する呼処理シーケンスと同手順の発信呼処理を行い、前記特定の通信端末と自無線基地局装置と間に通信回線を確立する手段と、
前記通信回線を介して、前記通信端末から又は前記通信端末へ、保守又は監視のための情報を送信又は受信する手段と、
を備えたことを特徴とする無線基地局装置。
【請求項３】
移動通信システムにおける移動局の加入者番号と同等の加入者識別情報であって、自無線基地局装置に割り当てられた加入者識別情報を記憶し、
該加入者識別情報を元に、通信網を介して任意の通信端末から自無線基地局装置へ着信する着信呼を識別し、該自無線基地局装置への着信呼に対して移動局に対する呼処理シーケンスと同手順の着信呼処理を行い、
又は、通信網を介して特定の通信端末へ自無線基地局装置から発信する発信呼を識別し、該自無線基地局装置からの発信呼に対して移動局に対する呼処理シーケンスと同手順の発信呼処理を行い、
前記通信端末と自無線基地局装置と間に通信回線を確立し、該通信回線を介して、前記通信端末から又は前記通信端末へ、保守又は監視のための情報を受信又は送信することを特徴とする無線基地局装置の保守方法。
【発明の詳細な説明】
【０００１】
【発明の属する技術分野】
本発明は、無線基地局装置及びその保守方法に関し、特に、移動通信システムにおける無線基地局装置の保守監視・制御を簡便にかつ安価に行うことができる無線基地局装置及びその保守方法に関する。
【０００２】
【従来の技術】
従来の移動通信システムにおける無線基地局装置の保守監視・制御は、各無線基地局装置を接続するネットワーク回線中に設定した専用チャネル等を介して、各無線基地局装置の保守監視・制御情報をネットワーク内の上位装置で統括し、その統括された保守監視・制御情報を用いて、監視センタ内に構築されたワークステーション等の専用監視システムで、自動的に或いは保守者の手動操作により、保守監視・制御を行う方式が採られている。
【０００３】
本発明に関連する先行技術は、下記の特許文献１〜３に記載されている。
【特許文献１】
特開平０９−２６１７１９号公報
【特許文献２】
特開平０６−２６１３６２号公報
【特許文献１】
特開２００１−１４５１５２号公報
【０００４】
【発明が解決しようとする課題】
前述の監視センタの運営は、基本的に移動通信サービスを提供する事業者が管理しており、無線基地局装置の製造者等が無線基地局装置の保守監視情報を取得するためには、前述の監視センタを管理する事業者を介して取得するか、或いは特定無線基地局装置が設置されている現地に赴き、無線基地局装置から直接監視情報を取得するしかなく、いずれの手法でも、監視センタを管理する事業者及び無線基地局装置製造者の両者の作業工程を必要とする。
【０００５】
本発明は、場所を選ばずに通信回線網にアクセス可能なポイントから、保守監視・制御対象の無線基地局装置に対してアクセスし、該無線基地局装置の保守監視情報を容易に取得することを可能にし、無線基地局の監視センタを管理する事業者及び無線基地局装置製造者の作業工程の低減、無線基地局装置の不具合発生時の調査及び対応の迅速化を可能にし、移動通信システムのサービス品質の向上を図ることを目的とする。
【０００６】
【課題を解決するための手段】
本発明は、既存の無線基地局装置の機能に加え、上述の課題を解決するために必要な機能として、自無線基地局装置に割り当てられた加入者識別情報を記憶する手段、その加入者識別情報を元に、網側からの呼処理信号が自無線基地局装置に対するものであるか否かを識別する手段、自無線基地局装置向けの呼処理信号に対する呼処理手段、自無線基地局装置と任意の通信端末との間のリンク確立中に、自無線基地局装置の保守監視・制御情報を送受信する手段、自無線基地局装置の運用状態が或る特定の状態へ変化したことを契機に、任意の電話番号の通信端末へ発呼する手段を備える。
【０００７】
即ち、本発明の無線基地局装置は、（１）移動通信システムにおける移動局の加入者番号と同等の加入者識別情報であって、自無線基地局装置に割り当てられた加入者識別情報を記憶する加入者識別情報記憶手段と、該加入者識別情報を元に、通信網を介して任意の通信端末から自無線基地局装置へ着信する着信呼を識別する手段と、該自無線基地局装置への着信呼に対して、移動局に対する呼処理シーケンスと同手順の着信呼処理を行い、前記任意の通信端末と自無線基地局装置と間に通信回線を確立する手段と、前記通信回線を介して、前記通信端末から又は前記通信端末へ、保守又は監視のための情報を送信又は受信する手段と、を備えたものである。
【０００８】
また、（２）移動通信システムにおける移動局の加入者番号と同等の加入者識別情報であって、自無線基地局装置に割り当てられた加入者識別情報を記憶する加入者識別情報記憶手段と、該加入者識別情報を元に、通信網を介して特定の通信端末へ自無線基地局装置から発信する発信呼を識別する手段と、該自無線基地局装置からの発信呼に対して、移動局に対する呼処理シーケンスと同手順の発信呼処理を行い、前記特定の通信端末と自無線基地局装置と間に通信回線を確立する手段と、前記通信回線を介して、前記通信端末から又は前記通信端末へ、保守又は監視のための情報を送信又は受信する手段と、を備えたものである。
【０００９】
また、本発明の無線基地局装置の保守方法は、（３）移動通信システムにおける移動局の加入者番号と同等の加入者識別情報であって、自無線基地局装置に割り当てられた加入者識別情報を記憶し、該加入者識別情報を元に、通信網を介して任意の通信端末から自無線基地局装置へ着信する着信呼を識別し、該自無線基地局装置への着信呼に対して移動局に対する呼処理シーケンスと同手順の着信呼処理を行い、又は、通信網を介して特定の通信端末へ自無線基地局装置から発信する発信呼を識別し、該自無線基地局装置からの発信呼に対して移動局に対する呼処理シーケンスと同手順の発信呼処理を行い、前記通信端末と自無線基地局装置と間に通信回線を確立し、該通信回線を介して、前記通信端末から又は前記通信端末へ、保守又は監視のための情報を受信又は送信して無線基地局装置を保守又は監視するものである。
【００１０】
【発明の実施の形態】
図１に本発明の一実施形態としての無線基地局装置の機能ブロックを示す。図１に示すように、無線基地局装置１は主要機能部で区分けすると、無線送受信部２、監視制御部３、制御信号中継部４、及びハイウェイインタフェース部５により構成される。
【００１１】
無線送受信部２は、電話網等の通信網１０から移動局向けに送信される通信データ（ｂ）及び呼処理制御信号（ｄ）の多重中継機能、移動局側から通信網１０向けに送信される無線信号（ｇ）を通信データ（音声信号、画像信号、データ情報等）（ｂ）と呼処理制御信号  （ｄ）とに分離中継する機能、移動局との間との無線信号送受同期制御機能等を有する。
【００１２】
監視制御部３は、監視制御バス（ｆ）を通じて、無線基地局装置１内の各部の状態監視及び制御管理を行い、それらの保守監視情報を、監視制御信号（ｅ）により通信網１０を介して保守監視用の通信端末１１と送受する機能を有する。
【００１３】
制御信号中継部４は、通信網１０との間で送受信される制御信号（ｃ）を、無線送受信部２に対向して送受される呼処理制御信号（ｄ）と、監視制御部３に対向して送受される監視制御信号（ｅ）とに分別して中継する機能を有する。
【００１４】
ハイウェイインタフェース部５は、ハイウェイ（ＨＷＹ）信号（ａ）に多重された通信データ（ｂ）と制御信号（ｃ）とを分離し、無線基地局装置１内の各部に分配する機能、及び、その逆に無線基地局装置１内の通信データ（ｂ）と制御信号（ｃ）とを、ハイウェイ（ＨＷＹ）信号（ａ）に多重して通信網１０に送信する機能を有する。
【００１５】
以上の基本的な無線基地局装置１の構成において、本発明の保守機能を実現するために、無線送受信部２に、自基地局保守監視データ送受信処理部６、自基地局向け呼処理信号識別部７、自基地局向け呼処理制御部８、加入者識別情報記憶部９を備える。
【００１６】
加入者識別情報記憶部９はメモリ等により構成し、自基地局用に割り当てられた加入者番号等の加入者識別情報を記憶保持する。自基地局向け呼処理信号識別部７は、通信網１０から受信した呼処理制御信号（ｄ）が自基地局向けであるか、又は無線区間を介して移動局向けに送信するものであるかを識別し、自基地局向けの呼処理制御信号（ｄ）を受信した場合は、その呼処理信号を自基地局向け呼処理制御部８へ引継ぎ、無線区間へは中継しない。
【００１７】
また、自基地局向けではなく、移動局向けの呼処理信号である場合は、既存機能と同様に無線区間へ中継する。通信網１０から受信した呼処理制御信号（ｄ）が自基地局向けであるか否かの識別は、受信した呼処理制御信号（ｄ）の内容を参照し、加入者識別情報記憶部９に保持される加入者識別情報内容と比較することで実現する。
【００１８】
自基地局向け呼処理制御部８は、呼処理シーケンス処理に必要な信号処理機能、タイマ・再送管理機能等を備え、自基地局が呼び出しされた場合の着信呼処理シーケンス、又はタイマ起動又は監視イベント発生等の予め設定されたトリガ条件に従って、特定の保守監視用の通信端末１１向けに発呼する発信呼処理シーケンス処理を行う。
【００１９】
以上の機能部を無線送受信部２に備えることにより、後述する図４及び図５の呼処理シーケンスにより、無線送受信部２と保守監視用の通信端末１１との間の通信回線を確立する。自基地局保守監視データ送受信処理部６は、通信端末１１向けの信号送受信機能を有し、自基地局向け呼処理信号識別部７及び自基地局向け呼処理制御部８の機能により、通信端末１１と無線送受信部２との間の通信回線が確立されたときに、通信端末１１からの通信データの指示に従い、無線基地局装置１内の各機能部の制御操作指示を監視制御部３に伝え、また、無線基地局装置１内の装置の必要な保守監視・制御情報を、監視制御部３から監視制御バス（ｆ）を介して取得し、その情報を通信データ（ｂ）に乗せて通信端末１１に返信する。このような動作機能によって、保守者は通信端末１１を介して、無線基地局装置１の保守監視情報の収集及び制御操作を実施することができる。
【００２０】
なお、無線送受信部２は、通信網１０と移動局向との間で交わされる通常の呼処理制御信号（ｄ）を送受する機能を有する部分であり、この無線送受信部２に、自基地局向け呼処理信号識別機能、自基地局向け呼処理制御機能、自無線基地局装置用に割り当てた加入者識別情報を保持する加入者情報記憶機能等を備えることは、通常の呼処理制御信号（ｄ）の送受機能を有効活用することができるため、都合が良いことから最良の実施形態として示している。
【００２１】
しかし、上記の自基地局向け呼処理信号識別機能、自基地局向け呼処理制御機能、自無線基地局装置用に割り当てた加入者識別情報を保持する加入者情報記憶機能等の機能部は、無線基地局装置１内の他部に備えても良く、また、それらの機能部はハードウェア又はソフトウェアの何れでも実現することができる。
【００２２】
図２及び図３は、移動通信システムにおける通常の基本的な着信呼処理及び発信呼処理のシーケンスをそれぞれ示す。同図に示すように、網側と移動局との間で遣り取りされる呼処理制御信号を無線基地局装置が中継し、網側と移動局との間の通信状態が確立される。
【００２３】
着信呼処理の場合、図２に示すように、無線基地局装置は網側からのページング（呼出し）信号を受信し（ステップ２−１）、それを移動局に中継する（ステップ２−２）。そして、移動局からの着信無線状態報告を受けると（ステップ２−３）、それを網側へ中継する  （ステップ２−４）。次に、網側から認証要求を受けると（ステップ２−５）、それを移動局に中継し（ステップ２−６）、移動局からの認証応答を受けると（ステップ２−７）、それを網側へ中継する（ステップ２−８）。
【００２４】
次に、網側から通話チャネル起動指令を受けると（ステップ２−９）、それに対する通話チャネル起動応答を網側へ返送する（ステップ２−１０）。次に、網側から無線チャネル指定情報を受けると（ステップ２−１１）、それを移動局へ中継する（ステップ２−１２）。そして、移動局と無線基地局装置との間で無線同期確立を行う（ステップ２−１３）。
【００２５】
次に、無線基地局装置は網側から呼設定情報を受けると（ステップ２−１４）、それを移動局へ中継し（ステップ２−１５）、移動局からの呼出し状態信号を受けると（ステップ２−１６）、それを網側へ中継し（ステップ２−１７）、移動局からの応答信号を受けると  （ステップ２−１８）、それを網側へ中継する（ステップ２−１９）。そして、網側から応答確認信号を受けると（ステップ２−２０）、それを移動局へ中継し（ステップ２−２１）、通信状態が確立される（ステップ２−２２）。
【００２６】
発信呼処理の場合、図３に示すように、無線基地局装置は移動局からの発信無線状態報告を受信し（ステップ３−１）、それを網側に中継する（ステップ３−２）。そして、網側からの呼設定受付けを受信すると（ステップ３−３）、それを移動局へ中継する（ステップ３−４）。次に、網側から認証要求を受けると（ステップ３−５）、それを移動局に中継し  （ステップ３−６）、移動局からの認証応答を受けると（ステップ３−７）、それを網側へ中継する（ステップ３−８）。
【００２７】
次に、網側から通話チャネル起動指令を受けると（ステップ３−９）、それに対する通話チャネル起動応答を網側へ返送する（ステップ３−１０）。次に、網側から無線チャネル指定情報を受けると（ステップ３−１１）、それを移動局へ中継する（ステップ３−１２）。そして、移動局と無線基地局装置との間で無線同期確立を行う（ステップ３−１３）。
【００２８】
次に、無線基地局装置は網側から呼出し状態信号を受けると（ステップ３−１４）、それを移動局へ中継し（ステップ３−１５）、網側からの応答信号を受けると（ステップ３−１６）、それを移動局へ中継し（ステップ３−１７）、移動局からの応答確認信号を受けると（ステップ３−１８）、それを網側へ中継する（ステップ３−１９）。そして、通信状態が確立される（ステップ３−２０）。
【００２９】
無線基地局装置に、移動局と同様の加入者番号等の加入者識別情報を割り当てると、その情報を元に、無線基地局装置で該無線基地局装置自身が呼処理信号による呼出しの対象であるかそうでないかを判断することができ、該無線基地局装置自身の呼処理信号のみを無線区間へ中継せずに、無線基地局装置内にて抽出し、その呼処理信号に対する応答処理を行う機能を備えることにより、網側から見た場合に、図２又は図３に示すような通常の着信呼又は発信呼の処理シーケンスと同手順の呼処理シーケンスを経て、無線基地局装置と任意の通信端末との通信回線のリンク確立が可能となる。
【００３０】
図４に、無線基地局装置自身が呼出し対象である場合の着信呼処理シーケンスを示す。無線基地局装置は、網側からのページング’（呼出し）信号を受信し（ステップ２−１）、無線基地局装置自身が呼出し対象であることを認識すると、着信無線状態報告を網側へ送信する（ステップ２−４）。次に、網側から認証要求を受けると（ステップ２−５）、それに対する認証応答を網側へ送信する（ステップ２−８）。
【００３１】
次に、網側から通話チャネル起動指令を受けると（ステップ２−９）、それに対する通話チャネル起動応答を網側へ返送する（ステップ２−１０）。次に、網側から無線チャネル指定情報を受け（ステップ２−１１）、網側から呼設定情報を受けると（ステップ２−１４）、呼出し状態信号を網側へ送信し（ステップ２−１７）、応答信号を網側へ送信する（ステップ２−１９）。そして、網側から応答確認信号を受け（ステップ２−２０）、通信状態が確立される（ステップ２−２２）。
【００３２】
図５に、無線基地局装置自身から発信された場合の発信呼処理シーケンスを示す。無線基地局装置は、自無線基地局装置の運用状態が或る特定の状態へ変化したことを契機に、任意の電話番号の通信端末へ発呼し、発信無線状態報告を網側に送信する（ステップ３−２）。そして、網側からの呼設定受付けを受信し（ステップ３−３）、次に網側から認証要求を受けると（ステップ３−５）、それに対する認証応答を網側へ送信する（ステップ３−８）。
【００３３】
次に、網側から通話チャネル起動指令を受けると（ステップ３−９）、それに対する通話チャネル起動応答を網側へ返送する（ステップ３−１０）。次に、網側から無線チャネル指定情報を受け（ステップ３−１１）、網側から呼出し状態信号を受け（ステップ３−１４）、網側からの応答信号を受けると（ステップ３−１６）、それに対する応答確認信号を網側へ送信し（ステップ３−１９）、通信状態が確立される（ステップ３−２０）。
【００３４】
無線基地局装置に、移動局と同様の加入者番号等の加入者識別情報を割り当て、その情報を元に、無線基地局装置は、該無線基地局装置自身が呼処理信号による呼出しの対象であるかそうでないかを判断し、該無線基地局装置自身が呼出しの対象である場合に、呼処理信号を無線区間へ中継せずに、無線基地局装置内でその呼処理信号に対する応答処理を、移動局に対する発着信呼の処理シーケンスと同手順の処理機能により行うことにより、網側から見た場合に、図２又は図３に示す通常の着信呼又は発信呼の処理シーケンスと同手順の呼処理シーケンスを経て、任意の通信端末との通信回線のリンク確立が可能となる。
【００３５】
さらに、無線基地局装置と任意の通信端末との間でリンク確立した通信回線を用いて、予め適宜定めた信号フォーマットにより保守監視・制御情報を遣り取りする手段を、無線基地局装置側と通信端末側とにそれぞれ備えることにより、保守者は通信網により接続可能な遠隔の任意の通信端末を介して、無線基地局装置の制御操作や監視情報の収集等の保守監視・制御が可能となる。
【００３６】
【発明の効果】
以上説明したように、本発明によれば、移動通信システムにおける無線基地局装置の簡約的な保守監視・制御を、場所を選ばずに通信網の任意のアクセスポイントの通信端末から容易に実施することができ、日常の保守運用の簡便化や不具合発生時の調査及び対処の迅速化を図ることができ、移動通信システムのサービス品質の向上を図ることができる。
【図面の簡単な説明】
【図１】本発明の無線基地局装置の機能ブロックを示す図である。
【図２】移動通信システムにおける通常の着信呼処理シーケンスを示す図である。
【図３】移動通信システムにおける通常の発信呼処理シーケンスを示す図である。
【図４】無線基地局装置自身が呼出し対象である場合の着信呼処理シーケンスを示す図である。
【図５】無線基地局装置自身から発信された場合の発信呼処理のシーケンスを示す図である。
【符号の説明】
１  無線基地局装置
２  無線送受信部
３  監視制御部
４  制御信号中継部
５  ハイウェイインタフェース部
６  自基地局保守監視データ送受信処理部
７  自基地局向け呼処信号識別部
８  自基地局向け呼処理制御部
９  加入者識別情報記憶部
【図１】
2004248036.tif 000003
【図２】
2004248036.tif 000004
【図３】
2004248036.tif 000005
【図４】
2004248036.tif 000006
【図５】
2004248036.tif 000007